(57)【要約】【課題】端子保持筒部にリテーナを装着する作業を容易にする。【解決手段】本発明は、機器側コネクタ３０と電線側コネクタ１０が嵌合可能とされたコネクタであって、機器側コネクタ３０は、嵌合方向前側に開口して設けられた機器側フード部３２を複数積層してなる機器側フード部３２群と、機器側フード部３２にそれぞれ収容され機器側フード部３２の奥壁３３から嵌合方向前側に突出して設けられた複数の雄端子５０とを有し、電線側コネクタ１０は、複数の雄端子５０とそれぞれ嵌合する複数の雌端子４０と、複数の雌端子４０を収容する複数のキャビティ１１をそれぞれ有し、両コネクタ１０，３０の嵌合時に複数の機器側フード部３２の内部に個別に挿入される複数の端子保持筒部１４と、端子保持筒部１４毎に装着されて雌端子４０をキャビティ１１に保持する複数のリテーナ２１が一体に形成されてなる一体型リテーナ２０とを有する。【選択図】図５
2014035854.tif 000002
【特許請求の範囲】
【請求項１】
機器側に設けられた機器側コネクタと、電線側に設けられた電線側コネクタとが嵌合可能とされたコネクタであって、
前記機器側コネクタは、嵌合方向前側に開口して設けられた機器側フード部を複数積層してなる機器側フード部群と、前記機器側フード部にそれぞれ収容され前記機器側フード部の奥壁から嵌合方向前側に突出して設けられた複数の雄端子とを有し、
前記電線側コネクタは、前記複数の雄端子とそれぞれ嵌合する複数の雌端子と、前記複数の雌端子を収容する複数のキャビティをそれぞれ有し、前記両コネクタの嵌合時に前記複数の機器側フード部の内部に個別に挿入される複数の端子保持筒部と、前記端子保持筒部毎に装着されて前記雌端子を前記キャビティに保持する複数のリテーナが一体に形成されてなる一体型リテーナとを有するコネクタ。
【請求項２】
前記一体型リテーナは、隣り合う一対のリテーナを連結する連結壁を有し、前記機器側コネクタは、前記両コネクタの嵌合時に前記連結壁を逃がす逃がし凹部を有する請求項１に記載のコネクタ。
【請求項３】
前記電線側コネクタは、前記両コネクタの嵌合時に前記機器側フード部群を一括して覆う単一の電線側フード部を有する請求項１または請求項２に記載のコネクタ。
【発明の詳細な説明】
【技術分野】
【０００１】
本発明は、コネクタに関する。
【背景技術】
【０００２】
従来、複数の雄端子を内部に収容する複数の機器側フード部を備えた機器側コネクタとして、例えば下記特許文献１に記載のものが知られている。一方、この機器側コネクタと嵌合可能な電線側コネクタには、雄端子と嵌合する雌端子と、この雌端子を内部に収容するキャビティを備えて機器側フード部内に挿入される複数の端子保持筒部とが設けられている。したがって、電線側コネクタを機器側コネクタに嵌合させると、端子保持筒部が機器側フード部内に挿入されて雄端子が雌端子に嵌合することになる。
【先行技術文献】
【特許文献】
【０００３】
【特許文献１】特開２００６−３４４４１９号公報
【発明の概要】
【発明が解決しようとする課題】
【０００４】
しかしながら、上記のコネクタでは、端子保持筒部に、雌端子をキャビティに保持するリテーナが装着されるようになっており、各端子保持筒部にリテーナを個別に装着する必要がある。このため、リテーナの装着作業が極めて煩雑なものとなっていた。
【０００５】
本発明は上記のような事情に基づいて完成されたものであって、端子保持筒部にリテーナを装着する作業を容易にすることを目的とする。
【課題を解決するための手段】
【０００６】
本発明は、機器側に設けられた機器側コネクタと、電線側に設けられた電線側コネクタとが嵌合可能とされたコネクタであって、機器側コネクタは、嵌合方向前側に開口して設けられた機器側フード部を複数積層してなる機器側フード部群と、機器側フード部にそれぞれ収容され機器側フード部の奥壁から嵌合方向前側に突出して設けられた複数の雄端子とを有し、電線側コネクタは、複数の雄端子とそれぞれ嵌合する複数の雌端子と、複数の雌端子を収容する複数のキャビティをそれぞれ有し、両コネクタの嵌合時に複数の機器側フード部の内部に個別に挿入される複数の端子保持筒部と、端子保持筒部毎に装着されて雌端子をキャビティに保持する複数のリテーナが一体に形成されてなる一体型リテーナとを有する構成としたところに特徴を有する。
【０００７】
このような構成によると、各リテーナを端子保持筒部に対して個別に装着する必要はなく、一体型リテーナを装着することで各リテーナを各端子保持筒部に一括して装着することができる。
【０００８】
本発明の実施の態様として、以下の構成が好ましい。
一体型リテーナは、隣り合う一対のリテーナを連結する連結壁を有し、機器側コネクタは、両コネクタの嵌合時に連結壁を逃がす逃がし凹部を有する構成としてもよい。
このような構成によると、各リテーナを連結壁によって連結することができ、この連結壁を逃がし凹部に逃がすことにより、電線側コネクタと機器側コネクタを緊密に嵌合させることができる。
【０００９】
電線側コネクタは、両コネクタの嵌合時に機器側フード部群を一括して覆う単一の電線側フード部を有する構成としてもよい。
このような構成によると、電線側コネクタを機器側コネクタに嵌合させた際に各端子保持筒部が一括して各機器側フード部内に挿入され、各雄端子が一括して各雌端子に嵌合する。また、両コネクタの嵌合状態では、機器側フード部群が電線側フード部によって一括して覆われているため、外部から衝撃を受けた際に機器側フード部群が破損することはない。
【発明の効果】
【００１０】
本発明によれば、端子保持筒部にリテーナを装着する作業を容易にすることができる。
【図面の簡単な説明】
【００１１】
【図１】機器側コネクタと電線側コネクタを嵌合させた状態を斜め上方から見た斜視図
【図２】両コネクタの嵌合状態を下方から見た断面図
【図３】雄端子と雌端子の接続状態を上方から見た断面図
【図４】一体型リテーナが本係止状態にある電線側コネクタを斜め上方から見た斜視図
【図５】一体型リテーナが本係止状態にある電線側コネクタの右側面図
【図６】図５におけるＡ−Ａ線断面図
【図７】一体型リテーナが仮係止状態にある電線側コネクタを斜め上方から見た斜視図
【図８】図６における一体型リテーナを仮係止状態に装着した断面図
【図９】電線側フード部を斜め上方から見た斜視図
【図１０】電線側フード部の右側面図
【図１１】電線側フード部の正面図
【図１２】一体型リテーナを斜め上方から見た斜視図
【図１３】一体型リテーナの右側面図
【図１４】一体型リテーナの正面図
【発明を実施するための形態】
【００１２】
＜実施形態＞
本発明の実施形態を図１ないし図１４の図面を参照しながら説明する。本実施形態におけるコネクタは、図１に示すように、互いに嵌合可能な電線側コネクタ１０と機器側コネクタ３０とを備えて構成されている。機器側コネクタ３０は、バッテリや基板などの扁平な機器を積層した機器側に設けられたコネクタである。一方、電線側コネクタ１０は、電圧検知線や電力線などの電線Ｗの端末に接続されたコネクタである。なお、以下においては両コネクタ１０，３０の嵌合方向を前後方向とし、互いの嵌合面側を前側として説明する。
【００１３】
電線側コネクタ１０は、図４に示すように、前方および右側方に開口する形態をなす電線側フード部１２を有している。この電線側フード部１２の奥壁１３には、図３に示すように、端子保持筒部１４が前方に突出する形態で設けられている。端子保持筒部１４の内部には、雌端子４０を収容可能なキャビティ１１が形成されている。電線Ｗは、キャビティ１１から電線側フード部１２の奥壁１３を貫通して後方に引き出されている。
【００１４】
雌端子４０は、電線Ｗの端末に接続される電線接続部４１と、雄端子５０が内部に嵌合する端子嵌合部４２とを備えて構成されている。端子嵌合部４２は、前後両端が開口する角筒状をなし、その内部には弾性接触片４３が形成されている。端子嵌合部４２の前端開口には、断面方形状をなす雄端子５０が進入可能とされており、弾性接触片４３が撓み変形して雄端子５０に弾性的に接触することにより、両端子４０，５０が導通可能に接続される。
【００１５】
電線側フード部１２の左側面には、図４に示すように、平板状のロックアーム１５が揺動可能に設けられている。このロックアーム１５は、電線側フード部１２の後端から立ち上がった後、片持ち状をなして前方に延びる形態とされている。ロックアーム１５の前端部には、ロック孔が板厚方向に貫通して形成され、このロック孔は電線側フード部１２の左側面から左方に変位可能とされている。両コネクタ１０，３０を嵌合させると、ロックアーム１５のロック孔が機器側コネクタ３０に設けられたロック突起（図示せず）に嵌まり込んで係止することにより、両コネクタ１０，３０が嵌合状態にロックされる。
【００１６】
また、端子保持筒部１４の内壁には、ランス１６が形成されている。これにより、電線側フード部１２の後方から端子保持筒部１４のキャビティ１１に雌端子４０を挿入すると、ランス１６が端子嵌合部４２に設けられたランスホールに嵌まり込むことで雌端子４０が抜け止めされる。
【００１７】
機器側コネクタ３０は、図２および図３に示すように、機器毎に設けられた複数の機器側フード部３２を有している。複数の機器側フード部３２は、積層して配設されている。複数の機器側フード部３２は、機器側ケース３１によって一括して覆われ、この機器側ケース３１によって覆われた部分が電線側フード部１２によって一括して覆われている。言い換えると、複数の機器側フード部３２は、機器側ケース３１を介して電線側フード部１２によって一括して覆われている。また、機器側フード部３２の奥壁３３には、タブ状をなす雄端子５０が前方に突出する形態で設けられている。
【００１８】
隣り合う一対の機器側フード部３２を仕切る隔壁３４には、図２に示すように、逃がし凹部３５が形成されている。この逃がし凹部３５は、隔壁３４の前端部に配されて前方に開口する形態をなしている。本実施形態では図示４個の機器側フード部３２が上下方向に並んで配設されており、これらを仕切る図示３個の隔壁３４が配設されている。したがって、各隔壁３４に対応して図示３個の逃がし凹部３５が配設されている。
【００１９】
さて、本実施形態の端子保持筒部１４の基端部には、図１０に示すように、リテーナ２１が装着されるリテーナ装着口１７が開設されている。リテーナ装着口１７は、各端子保持筒部１４に対応して設けられ、本実施形態では、図示４個のリテーナ装着口１７が設けられている。リテーナ装着口１７は、上下方向に貫通するとともに右方に開口する形態をなしている。
【００２０】
隣り合う一対のリテーナ２１は、図１２に示すように、連結壁２２によって互いに連結されている。本実施形態では、図示４個のリテーナ２１が上下方向に並んで配されているため、図示３個の連結壁２２が配されている。したがって、複数のリテーナ２１が複数の連結壁２２によって互いに一体化され、全体として一つの一体型リテーナ２０が構成されている。
【００２１】
リテーナ２１は、図６に示す本係止位置と、図８に示す仮係止位置との間を移動可能に装着されている。リテーナ２１が本係止位置に装着された状態では、キャビティ１１に収容された雌端子４０が抜け止め状態に保持される。したがって、雌端子４０は、ランス１６とともにリテーナ２１によって二重に抜け止めされる。一方、リテーナ２１が仮係止位置に装着された状態では、キャビティ１１への雌端子４０の挿入が許容される。
【００２２】
リテーナ２１は、図１４に示すように、上下方向に対向状態をなして配された一対の装着壁２３と、これらの装着壁２３の間に配された係止壁２４とを備えて構成されている。係止壁２４は、本係止位置にて雌端子４０に後方から係止することでその抜け止めを行うものである。一方、装着壁２３は、図６に示すように、端子保持筒部１４を上下方向に挟み込んでリテーナ２１を端子保持筒部１４に保持させるものである。
【００２３】
装着壁２３は係止突起２５を有し、この装着壁２３が装着される装着面には、係止突起２５と係止する保持突起１８が形成されている。図６に示すように、本係止位置では、係止突起２５が保持突起１８を乗り越えて係止することにより、リテーナ２１が本係止位置に保持される。一方、図８に示すように、仮係止位置では、係止突起２５が保持突起１８を乗り越える直前位置に配されており、係止突起２５が保持突起１８にセミロック状態で係止することによりリテーナ２１の本係止位置側への移動は許容するものの、保持突起１８と反対側に配された抜止突起１９に係止することによりリテーナ２１の抜け方向への移動は阻止されるようになっている。
【００２４】
リテーナ２１が仮係止位置にあるときに両コネクタ１０，３０を嵌合させようとすると、連結壁２２が機器側フード部３２の嵌合面に干渉し、逃がし凹部３５に収容されないため、嵌合が阻止される。一方、リテーナ２１が本係止位置にあるときに両コネクタ１０，３０を嵌合させると、連結壁２２が機器側フード部３２の逃がし凹部３５に進入して収容されるため、嵌合が許容される。そして、両コネクタ１０，３０が正規に嵌合した状態に至ると、雄端子５０が雌端子４０の端子嵌合部４２に嵌合し、弾性接触片４３と弾性的に接触する。
【００２５】
本実施形態は以上のような構成であって、続いてその作用を説明する。まず、一体型リテーナ２０を各端子保持筒部１４に装着する。ここで、各リテーナ２１は、連結壁２２によって一体化されているため、各リテーナ２１を各リテーナ装着口１７に進入させながら各端子保持筒部１４に組み付けると、各係止突起２５が各保持突起１８に係止することで一体型リテーナ２０が仮係止位置に組み付けられる。このようにすると、複数のリテーナ２１を対応する端子保持筒部１４に一括して装着することができ、リテーナ２１の組み付け作業が容易になる。
【００２６】
次に、電線Ｗの絶縁被覆を除去することで端末に芯線を露出させ、この露出させた芯線に電線接続部４１を圧着して接続する。雌端子４０を端子保持筒部１４に後方から挿入すると、ランス１６が端子嵌合部４２のランスホールに嵌まり込むことで雌端子４０が抜け止めされる。全ての雌端子４０を端子保持筒部１４に挿入し、キャビティ１１に保持させた後、一体型リテーナ２０を本係止位置へ押し込む。すると、各雌端子４０が各リテーナ２１の係止壁２４によって抜け止めされる。これにより、各雌端子４０は、各ランス１６と各リテーナ２１によって二重に抜け止めされた状態となる。
【００２７】
次に、両コネクタ１０，３０を嵌合させると、各端子保持筒部１４が各機器側フード部３２の内部に嵌合し、各雄端子５０が各雌端子４０の端子嵌合部４２に嵌合していく。これと併行して、一体型リテーナ２０の連結壁２２が機器側フード部３２の逃がし凹部３５に挿入される。こうして、両コネクタ１０，３０が正規嵌合状態に至ると、雄端子５０が雌端子４０の弾性接触片４３と弾性的に接触し、ロックアーム１５によって嵌合状態にロックされる。
【００２８】
以上のように本実施形態によると、各リテーナ２１を端子保持筒部１４に対して個別に装着する必要はなく、一体型リテーナ２０を装着することで各リテーナ２１を各端子保持筒部１４に一括して装着することができる。
【００２９】
また、一体型リテーナ２０は、隣り合う一対のリテーナ２１を連結する連結壁２２を有し、機器側コネクタ３０は、両コネクタ１０，３０の嵌合時に連結壁２２を逃がす逃がし凹部３５を有する構成としてもよい。
【００３０】
このような構成によると、各リテーナ２１を連結壁２２によって連結することができ、この連結壁２２を逃がし凹部３５に逃がすことにより、電線側コネクタ１０と機器側コネクタ３０を緊密に嵌合させることができる。
【００３１】
電線側コネクタ１０は、両コネクタ１０，３０の嵌合時に機器側フード部３２を一括して覆う単一の電線側フード部１２を有する構成としてもよい。
【００３２】
このような構成によると、電線側コネクタ１０を機器側コネクタ３０に嵌合させた際に各端子保持筒部１４が一括して各機器側フード部３２内に挿入され、各雄端子５０が一括して各雌端子４０に嵌合する。また、両コネクタ１０，３０の嵌合状態では、機器側フード部３２が電線側フード部１２によって一括して覆われているため、外部から衝撃を受けた際に機器側フード部３２が破損することはない。
【００３３】
＜他の実施形態＞
本発明は上記記述及び図面によって説明した実施形態に限定されるものではなく、例えば次のような実施形態も本発明の技術的範囲に含まれる。
（１）上記実施形態では、隣り合う一対のリテーナ２１が連結壁２２によって連結された一体型リテーナ２０を例示しているものの、本発明によると、隣り合う一対のリテーナ２１を直接連結することで一体化させた一体型リテーナとしてもよい。
【００３４】
（２）上記実施形態では一体型リテーナ２０の連結壁２２を逃がす逃がし凹部３５を設けているものの、本発明によると、機器側フード部が連結壁２２と干渉しないように機器側フード部を短めに形成してもよい。
【００３５】
（３）上記実施形態では電線側コネクタ１０が電線側フード部１２を備えているものの、本発明によると、電線側フード部を備えていない電線側コネクタとしてもよい。
【符号の説明】
【００３６】
１０…電線側コネクタ
１１…キャビティ
１４…端子保持筒部
２０…一体型リテーナ
２１…リテーナ
２２…連結壁
３０…機器側コネクタ
３２…機器側フード部
３３…奥壁
３５…逃がし凹部
４０…雌端子
５０…雄端子
Ｗ…電線
【図１】
2014035854.tif 000003
【図２】
2014035854.tif 000004
【図３】
2014035854.tif 000005
【図４】
2014035854.tif 000006
【図５】
2014035854.tif 000007
【図６】
2014035854.tif 000008
【図７】
2014035854.tif 000009
【図８】
2014035854.tif 000010
【図９】
2014035854.tif 000011
【図１０】
2014035854.tif 000012
【図１１】
2014035854.tif 000013
【図１２】
2014035854.tif 000014
【図１３】
2014035854.tif 000015
【図１４】
2014035854.tif 000016